(57)【要約】【課題】必要最小限の構成要素からなるコンパクトな構造でありながら、非使用時（未使用時、或いは使用前）には収容したコンドームを密封しつつ、使用時にはワンタッチによる簡単な開封作業によって取り出して片手にて陰茎に装着することができるコンドームアプリケータ、及びコンドームユニットを提供する。【解決手段】開放端縁側からリング状に巻かれたコンドーム３０の環状厚肉部３１を離脱可能に包囲する環状保持部材２と、環状保持部材により環状厚肉部を包囲した際に該環状厚肉部の内径側に位置するコンドーム先端面の表裏両面と夫々対向配置される包装体１０と、を備え、包装体は環状保持部材に接着されている。【選択図】図１
2008295588.tif 000002
【特許請求の範囲】
【請求項１】
リング状に巻かれたコンドームの環状厚肉部を離脱可能に包囲する環状保持部材と、
前記環状保持部材により前記コンドームの環状厚肉部を包囲した際に内径側に位置するコンドーム先端面の表裏両面と夫々対向配置される包装体と、を備え、
前記包装体は前記環状保持部材に接着されていることを特徴とするコンドームアプリケータ。
【請求項２】
前記環状保持部材は、少なくとも周方向一箇所に係脱自在に開放する分離部を備えていることを特徴とする請求項１に記載のコンドームアプリケータ。
【請求項３】
前記分離部とは異なる他の部位に少なくとも一つのヒンジ部を備え、該ヒンジ部を中心として前記分離部を開放可能に構成されていることを特徴とする請求項２に記載のコンドームアプリケータ。
【請求項４】
前記環状保持部材は、少なくとも周方向二箇所に設けた分離部において複数片に分離可能に構成されていることを特徴とする請求項１に記載のコンドームアプリケータ。
【請求項５】
前記環状保持部材は、その周方向全長に亘って形成されたコンドームの環状厚肉部着脱用のスリットと、該スリット内部の空所と、を有していることを特徴とする請求項１乃至４の何れか一項に記載のコンドームアプリケータ。
【請求項６】
前記包装体は、前記コンドーム先端面の表裏両面と夫々対向した状態で前記環状保持部材に接着される２つの包装片と、両包装片を連結する連結片と、から構成されていることを特徴とする請求項１乃至５の何れか一項に記載のコンドームアプリケータ。
【請求項７】
前記２つの包装片のうちの一方は、内側にアシストフィルムを配置した状態で前記環状保持部材に接着され、前記包装体を前記環状保持部材から剥離した後においても該アシストフィルムは前記環状保持部材に接着し続けることを特徴とする請求項１乃至６の何れか一項に記載のコンドームアプリケータ。
【請求項８】
前記包装体は、前記環状保持部材内部のコンドーム先端面の一面と対向した状態で前記環状保持部材に接着される第１の包装片と、該コンドーム先端面の他面と対向した状態で前記環状保持部材に接着される第２の包装片と、を備え、
前記第１の包装片を剥離除去しても、前記第２の包装片は前記環状保持部材に接着し続けることを特徴とする請求項１乃至５の何れか一項に記載のコンドームアプリケータ。
【請求項９】
前記環状保持部材は、前記コンドームの環状厚肉部の周方向全周を包囲することを特徴とする請求項１乃至８の何れか一項に記載のコンドームアプリケータ。
【請求項１０】
前記環状保持部材は、複数の前記ヒンジ部と、該各ヒンジ部の近傍に一体化した操作ノブと、を備え、該操作ノブを押圧することにより前記各ヒンジ部を中心として前記分離部を開放させることを特徴とする請求項１乃至９の何れか一項に記載のコンドームアプリケータ。
【請求項１１】
前記環状厚肉部着脱用のスリットは前記環状保持部材の軸方向一面に開口しており、該スリットの内径側端縁がスリット内空所にオーバーハングする突出量は周方向によって一定でないことを特徴とする請求項５乃至１０の何れか一項に記載のコンドームアプリケータ。
【請求項１２】
請求項１乃至１１の何れか一項に記載のコンドームアプリケータと、該コンドームアプリケータにより収納されたコンドームと、を備えたことを特徴とするコンドームユニット。
【発明の詳細な説明】
【技術分野】
【０００１】
本発明はアプリケータとしての密封性と、耐久性に優れていながら、男性器に対する装着作業性に優れ、且つ構成が簡易なコンドームアプリケータ、及びコンドームユニットに関する。
【背景技術】
【０００２】
コンドームは、開放側端縁から巻き取られてリング状にした状態で包装フィルム内に収納されて販売される。使用時には包装フィルムを破いてコンドームを取り出し、コンドームの表裏を確認して先端部に袋状に突出した精子溜まりを圧縮した状態で、破断させないように慎重な手順にて陰茎に装着する。このような作業は極めて煩わしく、改善が求められていた。
これに対してコンドームを装着する操作性を高めたアプリケータが種々提案されている。
【０００３】
まず、特許文献１には、リング状に巻き付けられたコンドームの厚肉環状部を包囲するリング部材からなるコンドームアプリケータが開示されている。このリング部材は別体構成の容器によって収納されるため、使用に際しては容器からリング部材を取り出してから装着するという煩雑な作業が必要となる。また、コンドーム先端の精子溜まりを指で圧縮しながら陰茎に装着する必要がある点も不便である。
特許文献２にはゴムリングと、ゴムリング内に井桁状に差し渡したガイド棒と、から成るコンドーム装着用リングが開示されている。この装着用リングは別体構成の容器によって収納されるため、使用に際しては容器からリング部材を取り出してから装着するという煩雑な作業が必要となる。また、コンドーム先端の精子溜まりを指で圧縮しながら陰茎に装着する必要がある点も不便である。
【０００４】
特許文献３にもリング状の保持具によってコンドームの環状厚肉部を保持するアプリケータが開示されているが、上記の各従来例と同様の問題点を有している。
次に、特許文献４には、リング状に巻き取られたコンドームの各半体部分を硬質樹脂からなる２つの支持構造体によって夫々支持した状態で包装フィルム内に収納したコンドーム装着器具が開示されている。この２つの支持構造体は、包装フィルム内に密封収納されている場合には対向する端縁間が連結一体化された状態でコンドームの各半体部分を保持している一方で、両支持構造体は連結端縁に沿って分割可能に構成されている。使用時には、包装フィルムの外面から各支持構造体を両手で把持して連結端縁に沿って分割すると同時に包装フィルムを中心線に沿って破断してコンドームを露出させる。両支持構造体を離間させてコンドームを引き延ばして先端面を露出させることにより、陰茎に対して被着することができるようになる。包装フィルムが支持構造体と一体化されているために、包装フィルムから支持構造体により支持されたコンドームを取り出すといった煩雑な手間が不要となっている。
【０００５】
しかし、このコンドーム装着器具は支持構造体の形状が複雑なため射出成形により製造する場合に金型代が高くなり、且つ嵩が大きいという問題がある。また、コンドーム先端の精子溜まりを圧縮しない状態でコンドーム先端面を陰茎に被せてゆく手順を踏むために精子溜まり内に空気が入った状態で装着が完了し、使用中に精子溜まりが破損したり、使用感が良くないという問題があった。
【特許文献１】特開平０６−１４９５２号公報
【特許文献２】特開平１０−１６５４３３号公報
【特許文献３】特表２００１−５２６０８６
【特許文献４】特表２００４−５２２５４３
【発明の開示】
【発明が解決しようとする課題】
【０００６】
特許文献１、２、３のコンドームアプリケータは、アプリケータと包装手段とが別体構成であるため、開封、取出し、装着という各手順を踏む必要があり、装着を完了するまでの操作が面倒であった。また、コンドーム先端の精子溜まりを指で圧縮しながらコンドームを陰茎に被せてゆく手順を踏むと、装着作業性が悪化するという問題があった。
特許文献４のコンドーム装着器具には、支持構造体の形状が複雑で、且つ嵩が大きいという問題と、コンドーム先端の精子溜まりを指で圧縮しながらコンドームを陰茎に被せてゆく手順を踏むと、装着作業性が悪化するという問題があった。
【０００７】
本発明は上記に鑑みてなされたものであり、必要最小限の構成要素からなるコンパクトな構造でありながら、非使用時（未使用時、或いは使用前）には収容したコンドームを密封しつつ、使用時にはワンタッチによる簡単な開封作業によって開封、取出して片手にて陰茎に装着することができるコンドームアプリケータ、及びコンドームユニットを提供することを目的としている。
【課題を解決するための手段】
【０００８】
上記目的を達成するため、請求項１の発明に係るコンドームアプリケータは、開放端縁側からリング状に巻かれたコンドームの環状厚肉部を離脱可能に包囲する環状保持部材と、前記環状保持部材により前記環状厚肉部を包囲した際に該環状厚肉部の内径側に位置するコンドーム先端面の表裏両面と夫々対向配置される包装体と、を備え、前記包装体は前記環状保持部材に接着されていることを特徴とする。
この発明によれば、コンドームの環状厚肉部を環状保持部材内に保持した状態で、包装体によってコンドームの上下面側を包囲したので、必要最小限の部品点数により、十分な気密性を確保しつつ、取扱いの容易なアプリケータを実現できる。コンドームの取付けに際しては包装体を除去した環状保持部材を手で把持して陰茎にコンドームを被せてから環状保持部材を除去する手順を踏めばよく、作業性がよい。
【０００９】
請求項２に係る発明は、前記環状保持部材は、少なくとも周方向一箇所に係脱自在に開放する分離部を備えていることを特徴とする。
環状保持部材は分離部によって分離、分解可能であるため、コンドームを陰茎に装着した後における環状保持部材の取り外し作業が容易となる。
請求項３に係る発明は、前記分離部とは異なる他の部位に少なくとも一つのヒンジ部を備え、該ヒンジ部を中心として前記分離部を開放可能に構成されていることを特徴とする。
環状保持部材は、ヒンジ部によって開閉自在に支持されているので、分離部を開放することによって確実に開放することができ、簡易にコンドームを離脱させることができる。
【００１０】
請求項４に係る発明は、前記環状保持部材は、少なくとも周方向二箇所に設けた分離部において複数片に分離可能に構成されていることを特徴とする。
分離部を複数箇所設けることにより環状保持部材を複数片に分割、分解することができる。
請求項５に係る発明は、前記環状保持部材は、その周方向全長に亘ってコンドームの環状厚肉部着脱用のスリットを有した中空体であることを特徴とする。
環状保持部材に設けたスリットを利用してコンドームの環状厚肉部を環状保持部材に装着したり、取り外すことが容易となる。
請求項６に係る発明は、前記包装体は、前記コンドーム先端面の表裏両面と夫々対向した状態で前記環状保持部材に接着される２つの包装片と、両包装片を連結する連結片と、から一体的に構成されていることを特徴とする。
包装体を連結片によって連結された２つの包装片から構成したので、一回の剥離作業によって包装体全体を除去して、速やかにコンドーム装着作業へ移行することができる。
【００１１】
請求項７に係る発明は、前記２つの包装片のうちの一方は、内側にアシストフィルムを配置した状態で前記環状保持部材に接着され、前記包装体を前記環状保持部材から剥離した後においても該アシストフィルムは前記環状保持部材に接着し続けることを特徴とする。
包装片を剥離したとしても、コンドームの片側は依然としてアシストフィルムにより包囲されているため、陰茎にコンドームを被せる際にアシストフィルムがコンドーム先端の精子溜まりを押さえ続けることができる。従って、精子溜まりに気泡が入って膨らむことがなくなり、精子溜まりが破れたり、使用感が悪化することがなくなる。
請求項８に係る発明では、前記包装体は、前記環状保持部材内部のコンドーム先端面の一面と対向した状態で前記環状保持部材に接着される第１の包装片と、他面と対向した状態で前記環状保持部材に接着される第２の包装片と、を備え、前記第１の包装片を剥離除去しても、前記第２の包装片は前記環状保持部材に接着し続けることを特徴とする。
第１の包装片を剥離したとしても、コンドームの片側は依然として第２の包装片により包囲されているため、陰茎にコンドームを被せる際に第２の包装片がコンドーム先端の精子溜まりを押さえ続けることができる。従って、精子溜まりに気泡が入って膨らむことがなくなり、精子溜まりが破れたり、使用感が悪化することがなくなる。
【００１２】
請求項９に係る発明では、前記環状保持部材は、前記コンドームの環状厚肉部の周方向全周を包囲することを特徴とする。
環状保持部材はコンドームの環状厚肉部の全周を包囲することにより確実な保持が可能となる。
請求項１０に係る発明では、前記環状保持部材は、複数の前記ヒンジ部と、該各ヒンジ部の近傍に一体化した操作ノブと、を備え、該操作ノブを押圧することにより前記分離部を開放させることを特徴とする。
操作ノブは、ヒンジ部よりも分離部寄り位置に突設し、これを押圧することによりヒンジ部を中心として分離部が開放する。ワンタッチ操作による開放が可能となる。
【００１３】
請求項１１に係る発明は、前記環状厚肉部着脱用のスリットは前記環状保持部材の軸方向一面に開口しており、該スリットの内径側端縁がスリット内空所にオーバーハングする突出量は周方向によって一定でないことを特徴とする。
内径側端縁の外径方向への突出量を周方向位置によって異ならせることによってアプリケータを開放した際にそれまで収納していたコンドームを容易に離脱させることが可能となる。
請求項１２に係るコンドームユニットは、請求項１乃至１１の何れか一項に記載のコンドームアプリケータと、該コンドームアプリケータにより収納されたコンドームと、を備えたことを特徴とする。
【発明の効果】
【００１４】
以上のように本発明では、開放端縁側からリング状に巻かれたコンドームの環状厚肉部を離脱可能に包囲する環状保持部材と、環状保持部材により環状厚肉部を包囲した際に該環状厚肉部の内径側に位置するコンドーム先端面の表裏両面と夫々対向配置される包装体と、を備え、包装体は環状保持部材に接着されているので、必要最小限の構成要素からなるコンパクトな構造でありながら、非使用時には収容したコンドームを密封しつつ、使用時にはワンタッチによる簡単な開封作業によって取り出して片手にて陰茎に装着することができる。
【発明を実施するための最良の形態】
【００１５】
以下、本発明を図面に示した実施の形態により詳細に説明する。
図１（ａ）及び（ｂ）は本発明の一実施形態に係るコンドームユニット（アプリケータと該アプリケータに収納されたコンドーム）を示す外観図、及び縦断面図であり、図２はコンドームの外観図であり、図３（ａ）は環状保持部材の外観図、（ｂ）（ｃ）（ｄ）及び（ｅ）は径方向断面図であり、図４は包装体の展開図である。
図１に示すように、コンドームアプリケータ（以下、アプリケータ、という）１は、開放端縁側からリング状に巻かれたコンドーム３０の環状厚肉部３１を離脱可能に包囲する環状保持部材２と、コンドームの環状厚肉部３１を包囲した環状保持部材２の内径部に位置するコンドームの先端面３２の表裏両面に夫々対向配置されてこれらを密封するシート状の包装体１０と、を備えている。
【００１６】
コンドーム３０は、図２に示すように開放端縁側から巻き込むことによりリング状に成形されており、周縁部に位置する環状厚肉部３１と、環状厚肉部３１の内径側にシート状に張設された先端面３２と、先端面３２に設けられた精子溜まり３３と、を有している。
環状保持部材２は、図３（ａ）に示すように少なくとも周方向一箇所に係脱自在に開放する分離部３を備えており、分離部３は係止部材３ａ、３ｂにより着脱自在に構成されている。この例に係る係止部材３ａは先端部に係止フックを備えた弾性舌片であり、係止部材３ｂはこの弾性舌片の係止フックを着脱する係止穴である。また、分離部３とは異なる他の部位（対向部位）にヒンジ部４を備え、ヒンジ部４を中心として分離部３は開放可能となっている。なお、分離部３を複数箇所設けて、環状保持部材２を複数片に分割可能に構成してもよい。
【００１７】
環状保持部材２は図３（ｂ）乃至（ｅ）に示すように内周面全長に亘ってスリット（長穴）５を有した中空体であり、その断面形状はＣ字状、コ字状、その他任意の中空形状をなしている。環状の空所Ｓ内にコンドームの環状厚肉部を収容する。また、環状保持部材２の概略断面形状は、円筒状であっても良いし、多角柱形状であってもよい。環状保持部材２の中空内部にはコンドームの環状厚肉部３１を収容すると共に、スリット５からはコンドームのシート状先端面３２が内径側に引き出されている。従って、環状保持部材の中空内部にはスリット５を経由してコンドームの環状厚肉部３１が着脱可能である。コンドームユニットを組み立てる際にはスリット５から中空内部にコンドームの環状厚肉部３１を圧入し、使用時にはヒンジ部４を中心として分離部３にて環状保持部材２を開放してから、スリット５を経由して環状厚肉部３１を離脱させることができる。環状保持部材２の中空内部にコンドームの環状厚肉部３１を弾性的に圧入した際には、環状厚肉部３１（コンドーム全体）が外径方向に拡開した状態で保持するのが好ましく、環状保持部材２は環状厚肉部を保護する役割を果たす。
なお、環状保持部材の平面形状は図示のように円形である必要はなく、矩形、その他の多角形であってもよい。
【００１８】
ヒンジ部４は、例えば環状保持部材２をＰＰ等の樹脂材料から構成した場合には、ヒンジ部に相当する部位だけを薄肉状にして可撓性をもたせるように構成すればよい。なお、環状保持部材２を、少なくとも周方向二箇所に設けた分離部において複数片に分離可能に構成してもよい。また、後述するように環状保持部材２の複数箇所にヒンジ部を設けてもよい。
環状保持部材２は、コンドームの環状厚肉部３１の全周を包囲する長さを有することが好ましいが、部分的に包囲しない箇所（開口部等）が存在していてもよい。この場合には環状保持部材２の開口部を包装体１０により密閉する。
【００１９】
包装体１０は例えばアルミニウムをラミネートした樹脂シートからなり、図４に示すように環状保持部材２の形状に合わせた形状、この例では瓢箪形を有している。包装体１０は、環状保持部材２の一面（下面）に内側面の周縁部を接着される円形の第１の包装片１１と、環状保持部材２の他面（上面）に内側面の周縁部を接着される円形の第２の包装片１２と、両包装片１１、１２を連結する連結片１３と、第１の包装片１１の端縁から突出した摘み片１４と、から一体的に構成されている。第１の包装片１１と第２の包装片１２は、環状保持部材２の上下面に夫々接着されることにより環状保持部材２の内径側中空部を気密的に封止して該中空部内に延びるコンドームの先端面３２を外気から遮断する。つまり、包装体１０は、コンドームの先端面３２の一面を被覆する第１の包装片１１と、先端面３２の他面を被覆する第２の包装片１２と、を備えて構成されている。なお、各包装片１１、１２と、コンドーム先端面３２の各面との間は離間していてもよいし、接触していてもよい。
包装体１０は、摘み片１４を指先により摘んで矢印方向（開放方向）へ力を加えることにより各包装片１１、１２が環状保持部材２の各被接着面から容易に剥離できるように接着されている。
【００２０】
本発明のコンドームアプリケータ１と、コンドームアプリケータにより収納されたコンドーム３０とは、コンドームユニットＵを構成している。
このコンドームユニットＵは、硬質樹脂等からなり且つ構造がシンプルな環状保持部材２と、一枚の包装体１０とから構成された極めてシンプルな構成であるため、金型代を含めた製造コスト、組立て手数を低減することができる。
【００２１】
次に、図５（ａ）乃至（ｈ）は本発明のコンドームユニットＵを構成するコンドームを陰茎に装着する手順を示す図である。
コンドームユニットＵを構成する包装体１０を剥離するには、まず図５（ａ）のように一方の手でコンドームユニットＵを把持し、次いで（ｂ）のように他方の手の指で包装体１０から突出した摘み片１４を把持して矢印方向へ引き剥がすことにより、（ｃ）に示すように環状保持部材２と、環状保持部材２により保持されたコンドーム３０のみとする。
次いで、環状保持部材２を指で把持した状態で、図５（ｄ）に示すように陰茎Ｐの先端部に対して環状保持部材２の中央部、即ちコンドーム先端面３２の中央部を当接させてから、更に図５（ｅ）（ｆ）に示すように陰茎Ｐに沿って押し下げて行く。陰茎Ｐの根元部まで環状保持部材２を押し下げることにより、コンドーム３０は陰茎の先端部から根元部までに密着した状態となる。
次いで、図５（ｇ）（ｈ）に示すように陰茎Ｐの根元部において環状保持部材２の分離部３を破断させてヒンジ部４を支点として開放し、コンドームから離脱させる。
この一連の操作によりコンドームは単独で陰茎を被覆した状態となる。
【００２２】
次に、図６（ａ）及び（ｂ）は本発明の他の実施形態に係るコンドームユニットの外観図、及び径方向断面図である。
この実施形態に係るコンドームユニットＵが前記実施形態に係るコンドームユニットと異なる点は、包装体１０の構成にある。
即ち、包装体１０を構成する２つの包装片１１、１２のうちの一方（この例では、上側の包装片１２）は、アシストフィルム１５を介して環状保持部材２の上面に接着され、包装体１０（包装片１１、１２、連結片１３及び摘み片１４）を環状保持部材２から剥離した後においてもアシストフィルム１５は環状保持部材に接着し続けるように構成されている。つまり、包装体１０を剥離してもアシストフィルム１５は環状保持部材２の片面側に接着し続けており、別途剥離力を加えない限り環状保持部材から剥離しない構成となっている。
【００２３】
なお、環状保持部材２の片面に接着したアシストフィルム１５の外側面上に包装体１０を重ねて接着してもよいし、環状保持部材とアシストフィルム１５との接着面を回避した位置にて包装体１０を接着してもよい。前者の場合には、包装体１０を剥離してもアシストフィルムがつられて剥離することがないように使用する接着剤、接着強度等を調整する。
なお、上記実施形態では２つの包装片１１、１２を一体化した包装体１０を使用したが、包装片１１、１２が分離したタイプの包装体を使用してもよい。前者のタイプの方が包装体を剥離する手間が一度で済むため便利である。
【００２４】
次に、図７（ａ）乃至（ｈ）は図６のコンドームユニットＵを構成するコンドームを陰茎Ｐに装着する手順を示す図である。
コンドームユニットＵを構成する包装体１０を剥離するには、まず図７（ａ）のように一方の手でコンドームユニットＵを把持し、次いで（ｂ）のように他方の手の指で包装体１０から突出した摘み片１４を把持して矢印方向へ引き剥がすことにより、（ｃ）に示すように片面にアシストフィルム１５を保持した環状保持部材２と、環状保持部材２により保持されたコンドーム３０のみとする。
【００２５】
次いで、環状保持部材２を指で把持した状態で、図７（ｄ）に示すように陰茎Ｐの先端部に対して環状保持部材２の中央部、即ちコンドーム先端面３２の中央部を当接させてから、更に図７（ｅ）（ｆ）に示すように陰茎Ｐに沿って押し下げて行く。陰茎Ｐの根元部まで環状保持部材２を押し下げることにより、コンドーム３０は陰茎の先端部から根元部までに密着した状態となる。なお、（ｅ）から（ｆ）に至る過程において環状保持部材２の上面側に接着されていたアシストフィルム１５はコンドーム先端面３２を介して陰茎により押し上げられて突き破られる（或いは、環状保持部材との接着部から剥離する）。つまり、コンドームを陰茎に被せる過程で、先端面３２中央部に位置する精子溜まり３３がアシストフィルム１５の内側面と当接して押し潰された状態となるため、精子溜まりに空気が入る余地がなくなり、（ｈ）のように装着完了時には精子溜まりからは完全に抜気された状態となる。
次いで、図７（ｇ）（ｈ）に示すように陰茎Ｐの根元部において環状保持部材２の分離部３を破断させてヒンジ部４を支点として開放し、コンドームから離脱させる。
この一連の操作によりコンドームは単独で陰茎を被覆した状態となる。
【００２６】
次に、図８（ａ）及び（ｂ）は本発明の他の実施形態に係るコンドームユニットの外観図、及び径方向断面図である。
この実施形態に係るコンドームユニットＵが前記実施形態に係るコンドームユニットと異なる点は、包装体１０の構成にある。
即ち、この実施形態に係る包装体１０は、環状保持部材２内部のコンドーム先端面３２の一面を被覆する第１の包装片２０と、第１の包装片２０とは独立してコンドーム先端面の他面を被覆する第２の包装片２１と、を備えている。各包装片２０、２１は別部材であり、夫々個別に環状保持部材２に対して接着保持されている。従って、第１の包装片２０を剥離除去しても、第２の包装片２１は環状保持部材２に接着し続ける。
【００２７】
図９（ａ）乃至（ｈ）は図８のコンドームユニットＵを構成するコンドームを陰茎Ｐに装着する手順を示す図である。
コンドームユニットＵを構成する包装体１０を剥離するには、まず図９（ａ）のように一方の手でコンドームユニットＵを把持し、次いで（ｂ）のように他方の手の指で第１の包装片２０から突出した摘み片１４を把持して矢印方向へ引き剥がすことにより第１の包装片２０のみを剥離して、（ｃ）に示すように環状保持部材２と、環状保持部材２により保持されたコンドーム３０と、第２の包装片２１のみとする。
【００２８】
次いで、環状保持部材２を指で把持した状態で、図９（ｄ）に示すように陰茎Ｐの先端部に対して環状保持部材２の中央部、即ちコンドーム先端面３２の中央部を当接させてから、更に図９（ｅ）（ｆ）に示すように陰茎Ｐに沿って押し下げて行く。陰茎Ｐの根元部まで環状保持部材２を押し下げることにより、コンドーム３０は陰茎の先端部から根元部までに密着した状態となる。なお、（ｅ）から（ｆ）に至る過程において環状保持部材２の上面側に接着されていた第２の包装片２１はコンドーム先端面３２を介して陰茎により押し上げられて突き破られる（或いは、環状保持部材との接着部から剥離する）。つまり、コンドームを陰茎に被せる過程で、先端面３２中央部に位置する精子溜まり３３が第２の包装片２１の内側面と当接して押し潰された状態となるため、精子溜まりに空気が入る余地がなくなり、（ｈ）のように装着完了時には精子溜まりからは完全に抜気された状態となる。
次いで、図９（ｇ）（ｈ）に示すように陰茎Ｐの根元部において環状保持部材２の分離部３を破断させてヒンジ部４を支点として開放し、コンドーム３０から離脱させる。
この一連の操作によりコンドームは単独で陰茎を被覆した状態となる。
【００２９】
図１０（ａ）（ｂ）及び（ｃ）は本発明のコンドームユニット（包装体は不図示）の構成を示す平面図、正面図、及び分解図であり、図１１（ａ）（ｂ）及び（ｃ）はこのコンドームユニットの取扱い手順を示す図である。
この実施形態に係るアプリケータ１は、所定の周方向間隔、この例では１８０度間隔で配置された二箇所のヒンジ部４の間に一箇所の分離部３を設けて分離部３から開放するように構成している。更に、各ヒンジ部４よりも分離部３側の環状保持部材部分から操作ノブ１６をヒンジ部方向へ斜めに突設し、図１１（ｂ）に示すように操作ノブ１６を指によって同時に内径方向へ押圧することによって各ヒンジ部４よりも分離部側の部分が外径方向へ開放するように構成し、コンドーム３０をワンタッチ操作によって離脱させるように構成している（図１１（ｃ））。
【００３０】
図１１（ｂ）のように両操作ノブ１６を同時に内径方向へ押圧すると各ヒンジ部４よりも分離部側の部分が一体的に開放してそれまで保持していたコンドームの環状厚肉部３１を離脱させるため、離脱されたコンドーム部分は収縮して原形に復帰する。一方、開放されていない残りの環状保持部材部分によって保持され続けている環状厚肉部３１はコンドームに加わる僅かな離脱方向への力によって離脱可能な状態にある。このため、コンドームを離脱方向へ引っ張るだけで環状保持部材から離脱させることができる。
なお、この実施形態に係るアプリケータ１は、環状保持部材２に設けたスリットが内径側ではなく上面又は下面（軸方向面）に配置されている点において上記実施形態と異なっているが、使用する包装体の構造については上記各実施形態の例を流用することができる。
【００３１】
次に、図１２（ａ）及び（ｂ）は本発明のアプリケータの変形例を示す正面斜視図、及びＡ−Ａ断面図である。
このアプリケータ１は、環状保持部材２の上面（軸方向片面）に設けたスリット５の外側端縁５ａを円形に構成する一方で、対向する内径側端縁５ｂを非円形に構成して、アプリケータの開放時にコンドームの環状厚肉部３１を離脱させ易く配慮している。操作ノブ１６は２箇所のヒンジ部４に沿った位置に配置されている。ここで非円形とは、スリットの内径側端縁５ｂがスリット内空所Ｓにオーバーハングする突出量が周方向によって一定でないことを意味する。このように内径側端縁５ｂの外径方向への突出量を周方向位置によって異ならせることによってアプリケータを開放した際にそれまで収納していなコンドームを容易に離脱させることが可能となる。
【００３２】
図示した例では、アプリケータの内径側端縁５ｂは、分離部３を中心とした所定の周方向範囲（４５度〜６０度）では環状保持部材２の空所Ｓに大きく庇状にオーバーハングしている一方で、ヒンジ部４の近傍では庇状の部分をなくして（或いは短く）している。更に分離部３と１８０度対向する領域に位置する内径側端縁５ｂは庇状の部分がない（或いは短い）。
このようにヒンジ部４の近傍位置にある内径側端縁５ｂを除去、或いは短くすることによって、環状保持部材２を両ヒンジ部４を中心として外側に開放した時に、アプリケータの中空内部に支持されていたコンドームの環状厚肉部３１がヒンジ部近傍位置において中空内部から離脱し易くなる。
【００３３】
次に、図１３（ａ）（ｂ）及び（ｃ）は本発明の他の実施形態に係るアプリケータの構成、及び開放手順を示す平面図である。
このアプリケータ１は、周方向位置を１８０度異ならせて分離部３とヒンジ部４を一箇所ずつ備えている。
分離部３にはリリーフノブ３ｃ（係止部材）が配置されている。このリリーフノブ３ｃは、分離部３を構成する２つの端部２Ａ、２Ｂに跨って配置されており、基部３ｃ−１を一方の端部２Ａ内に設けた支持穴内に埋設する一方で、係止フック部３ｃ−２を他方の端部２Ｂの端面に形成した係止穴内に差し込んで係止されるように構成している。リリーフノブ３ｃは基部３ｃ−１の外周面の一部が支持穴から外側へ突出するように弾性的に付勢されており、この状態では係止フック部３ｃ−２は係止穴内に係止されている。基部３ｃ−１の外周面を内径側に押し込むことによって係止フック部３ｃ−２も内径方向へ退避して係止穴内から離脱可能になる。このようにリリーフノブ３ｃの基部外周面を押し込むだけで分離部は分離し、ヒンジ部４を中心として開放することができる。開放時には操作ノブ１６を指により開放方向へ引くことにより、より容易に開放される。
【００３４】
以上説明した本発明の一つの実施形態によれば、コンドーム３０の環状厚肉部３１を環状保持部材２内に保持した状態で、包装体１０によってコンドームの上下面側を包囲したので、必要最小限の部品点数により、十分な気密性を確保しつつ、取扱いの容易なアプリケータを実現できる。しかも、コンドームの取付けに際しては包装体１０を除去した環状保持部材を手で把持して陰茎にコンドームを被せてから環状保持部材を除去する手順を踏めばよく、作業性がよい。
【００３５】
環状保持部材２は分離部から分離、分解が可能であるため、コンドームを陰茎に装着した後における環状保持部材の取り外し作業が容易となる。
環状保持部材２は、ヒンジ部４によって開閉自在に支持されているので、分離部３を開放することによって確実に開放することができ、簡易にコンドームを離脱させることができる。
分離部３を複数箇所設けることにより、ヒンジ部４を中心として開放する際に環状保持部材を複数片に分割、分解することができる。
環状保持部材２に設けたスリット５を利用してコンドームの環状厚肉部３１を環状保持部材に装着したり、取り外すことが容易となる。
包装体を連結片によって連結された２つの包装片から構成することにより、一回の剥離作業によって包装体全体を除去して、速やかにコンドーム装着作業へ移行することができる。
【００３６】
他の実施形態では、包装片を剥離したとしても、コンドームの片側は依然としてアシストフィルム１５により包囲されているため、陰茎にコンドームを被せる際にアシストフィルムがコンドーム先端の精子溜まりを押さえ続けることができる。従って、精子溜まりに気泡が入って膨らむことがなくなり、精子溜まりが破れたり、使用感が悪化することがなくなる。
他の実施形態では、第１の包装片２０を剥離したとしても、コンドームの片側は依然として第２の包装片２１により包囲されているため、陰茎にコンドームを被せる際に第２の包装片がコンドーム先端の精子溜まりを押さえ続けることができる。従って、精子溜まりに気泡が入って膨らむことがなくなり、精子溜まりが破れたり、使用感が悪化することがなくなる。
【図面の簡単な説明】
【００３７】
【図１】（ａ）及び（ｂ）は本発明の一実施形態に係るコンドームユニットを示す外観図、及び縦断面図である。
【図２】コンドームの外観図である。
【図３】（ａ）は環状保持部材の外観図、（ｂ）（ｃ）（ｄ）及び（ｅ）は径方向断面図である。
【図４】包装体の展開図である。
【図５】（ａ）乃至（ｈ）は本発明のコンドームユニットＵを構成するコンドームを陰茎に装着する手順を示す図である。
【図６】（ａ）及び（ｂ）は本発明の他の実施形態に係るコンドームユニットの外観図、及び径方向断面図である。
【図７】（ａ）乃至（ｈ）は図６のコンドームユニットを構成するコンドームを陰茎Ｐに装着する手順を示す図である。
【図８】（ａ）及び（ｂ）は本発明の他の実施形態に係るコンドームユニットの外観図、及び径方向断面図である。
【図９】（ａ）乃至（ｈ）は図８のコンドームユニットを構成するコンドームを陰茎に装着する手順を示す図である。
【図１０】（ａ）（ｂ）及び（ｃ）は本発明のコンドームユニットの構成を示す平面図、正面図、及び分解図である。
【図１１】（ａ）（ｂ）及び（ｃ）はこのコンドームユニットの取扱い手順を示す図である。
【図１２】（ａ）及び（ｂ）は本発明のアプリケータの変形例を示す正面斜視図、及びＡ−Ａ断面図である。
【図１３】（ａ）（ｂ）及び（ｃ）は本発明の他の実施形態に係るアプリケータの構成、及び開放手順を示す平面図である。
【符号の説明】
【００３８】
１…コンドームアプリケータ、２…環状保持部材、３…分離部、３ａ…係止部材、３ｂ…係止部材、４…ヒンジ部、５…スリット、１０…包装体、１１、１２…包装片、１３…連結片、１４…摘み片、１５…アシストフィルム、１６…操作ノブ、２…環状保持部材、２０、２１…包装片、３０…コンドーム、３１…環状厚肉部、３２…コンドーム先端面。
【図１】
2008295588.tif 000003
【図２】
2008295588.tif 000004
【図３】
2008295588.tif 000005
【図４】
2008295588.tif 000006
【図５】
2008295588.tif 000007
【図６】
2008295588.tif 000008
【図７】
2008295588.tif 000009
【図８】
2008295588.tif 000010
【図９】
2008295588.tif 000011
【図１０】
2008295588.tif 000012
【図１１】
2008295588.tif 000013
【図１２】
2008295588.tif 000014
【図１３】
2008295588.tif 000015